(57)【要約】【課題】ユーザが所望する時刻要素を当該ユーザに見易い態様で表示する。【解決手段】ユーザが２個の電波時計１−１、１−２を購入し、第１の電波時計１−１には「時」を設定し、第２の電波時計１−２には「分」を設定しておいた場合には、（Ａ）に示するように、「時」「分」の時刻要素が２桁で表示される。第１の電波時計１−１には「月」を設定し、第２の電波時計１−２には「日」を設定しておいた場合には、（Ｂ）に示すように、「月」「日」の時刻要素が２桁で表示される。５個の電波時計１−１〜１−５を購入し、第１の電波時計１−１には「曜日」、第２の電波時計１−２には「月」、第３の電波時計１−３には「日」、第４の電波時計１−４には「時」、第５の電波時計１−５には「分」を各々設定した場合には、（Ｃ）に示するように、「時」「分」、「月」「日」、「曜」「日」の時刻要素が２桁で表示される。【選択図】    図３
2007024654.tif 000002
【特許請求の範囲】
【請求項１】
外部から送信された複数の時刻要素を含む時刻情報を受信する受信手段と、
表示手段と、
前記受信手段により受信される前記時刻情報に含まれる前記複数の時刻要素から、いずれかを選択する選択手段と、
この選択手段により選択された時刻要素を前記受信手段により時刻情報を受信した後に前記表示手段に表示させる表示制御手段と
を備えることを特徴とする時刻情報受信装置。
【請求項２】
前記選択手段は、予め当該時刻情報受信装置に設定されている時刻要素を選択することを特徴とする請求項１記載の時刻情報受信装置。
【請求項３】
前記選択手段は、操作に応じて前記いずれかの時刻要素を選択することを特徴とする請求項１記載の時刻情報受信装置。
【請求項４】
外部から送信された複数の時刻要素を含む時刻情報を受信する受信手段と、
表示手段と、
複数個の時刻情報受信装置が配列された状態において、自機の配列位置を検出する検出手段と、
この検出手段により検出された自機の配列位置に応じて、前記受信手段により受信される前記時刻情報に含まれる前記複数の時刻要素から、いずれかを選択する選択手段と、
この選択手段により選択された時刻要素を前記受信手段により時刻情報を受信した後に前記表示手段に表示させる表示制御手段と
を備えることを特徴とする時刻情報受信装置。
【請求項５】
前記時刻情報は、前記時刻要素として、時、分、月、日、曜日を含むことを特徴とする請求項１から４にいずれか記載の時刻情報受信装置。
【請求項６】
前記表示手段は、前記表示手段に前記時刻要素を２桁で表示させることを特徴とする請求項１から５にいずれか記載の時刻情報受信装置。
【請求項７】
複数個の時刻情報受信装置により構成される時刻情報受信システムであって、
各時刻情報受信装置は、
外部から送信された複数の時刻要素を含む時刻情報を受信する受信手段と、
表示手段と、
前記受信手段により受信される前記時刻情報に含まれる前記複数の時刻要素から、いずれかを選択する選択手段と、
この選択手段により選択された時刻要素を前記受信手段により時刻情報を受信した後に前記表示手段に表示させる表示制御手段と
を備えることを特徴とする時刻情報受信システム。
【請求項８】
複数個の時刻情報受信装置により構成される時刻情報受信システムであって、
各時刻情報受信装置は、
外部から送信された複数の時刻要素を含む時刻情報を受信する受信手段と、
表示手段と、
前記複数個の時刻情報受信装置が配列された状態において、自機の配列位置を検出する検出手段と、
この検出手段により検出された自機の配列位置に応じて、前記受信手段により受信される前記時刻情報に含まれる前記複数の時刻要素から、いずれかを選択する選択手段と、
この選択手段により選択された時刻要素を前記受信手段により時刻情報を受信した後に前記表示手段に表示させる表示制御手段と
を備えることを特徴とする時刻情報受信システム。
【請求項９】
前記時刻情報は、前記時刻要素として、時、分、月、日、曜日を含むことを特徴とする請求項７又は８記載の時刻情報受信システム。
【請求項１０】
前記表示手段は、前記表示手段に前記時刻要素を２桁で表示させることを特徴とする請求項７、８又は９記載の時刻情報受信システム。
【請求項１１】
外部から送信された複数の時刻要素を含む時刻情報を受信する受信手段と、表示手段とを備える時刻情報受信装置が有するコンピュータを、
前記受信手段により受信される前記時刻情報に含まれる前記複数の時刻要素から、いずれかを選択する選択手段と、
この選択手段により選択された時刻要素を前記受信手段により時刻情報を受信した後に前記表示手段に表示させる表示制御手段と
して機能させることを特徴とする時刻情報受信制御プログラム。
【請求項１２】
外部から送信された複数の時刻要素を含む時刻情報を受信する受信手段と、表示手段とを備える時刻情報受信装置が有するコンピュータを、
複数個の時刻情報受信装置が配列された状態において、自機の配列位置を検出する検出手段と、
この検出手段により検出された自機の配列位置に応じて、前記受信手段により受信される前記時刻情報に含まれる前記複数の時刻要素から、いずれかを選択する選択手段と、
この選択手段により選択された時刻要素を前記受信手段により時刻情報を受信した後に前記表示手段に表示させる表示制御手段と
して機能させることを特徴とする時刻情報受信制御プログラム。
【発明の詳細な説明】
【技術分野】
【０００１】
本発明は、タイムコードを含む標準電波を送信する時刻情報受信装置に関する。
【背景技術】
【０００２】
現在、各国（例えば、ドイツ、イギリス、スイス、日本等）において、時刻データを示すタイムコード入りの短波又は長波の標準電波が送出されている。我が国（日本）では、２つの電波局（福島県及び佐賀県）より、標準時刻のタイムコードを振幅変調した４０ｋＨｚ及び６０ｋＨｚの長波標準電波が送出されている。このタイムコードは、「時」・「分」・「月」・「日」・「曜日」など、時刻情報として含まれている時刻要素で構成され、正確な時刻の分の桁が更新される毎、即ち１分毎に、１周期６０秒のフレームで送出される。
【０００３】
今日においては、このようなタイムコードを含む標準電波を受信して、これにより現在時刻データを修正する、いわゆる電波時計が実用化されている。電波時計は、現在時刻を計時して、ＬＣＤ等からなる表示部に表示するとともに、所定時間毎に、内蔵しているアンテナを介して標準電波を受信し、増幅変調してタイムコードを解読することにより現在時刻を修正している。したがって、表示部には、正確な時・分とともに月・日・曜日を表示させることができる（例えば、特許文献１の図２参照）。
【特許文献１】特開２００４−１０９０１６号公報
【発明の開示】
【発明が解決しようとする課題】
【０００４】
このように、電波時計時においては、受信したタイムコードに基づき表示部に正確な時・分とともに月・日・曜日を表示させることができる。しかし、一般家庭に配置される個々の時計における表示部の表示面積には自ずと限界があることから、タイムコードに含まれている時刻要素である時・分・月・日・曜日を全て表示すると、各時刻要素の表示サイズが相対的に小さくってしまい、ユーザによっては見にくいと感じてしまう。また、各ユーザにおいて、常時表示させておきたい時刻要素は異なり、例えば「時・分」のみの表示を所望するユーザ、あるいは「月・日」のみを表示の表示を所望するユーザ等が存在する。さらに、寝室においては「時・分」させ、居間においては「時・分・曜日」を表示させておきたい等、配置する場所に応じて表示を所望する時刻要素が異なる場合もある。したがって、タイムコードに含まれている時刻要素を全て表示すると、当該ユーザにおいて不要な時刻要素の存在により、必要な時刻要素が見にくいと感じてしまう。
【０００５】
加えて、表示部において時刻要素は、例えば時・分・月・日・曜日の順序で表示される等、固定的に配置されて表示される。しかし、見易い時刻表示の配置形態はユーザによってことなり、例えば「時」よりも左側に「分」が表示された方が見易いと感ずるユーザも存在する。したがって、時刻要素が固定的に配置されて表示されると、ユーザによっては見にくいと感じてしまう場合が生ずる。
【０００６】
本発明は、かかる従来の課題に鑑みてなされたものであり、ユーザが所望する時刻要素を当該ユーザに見易い態様で表示することのできる時刻情報受信装置、時刻情報受信システム及び時刻情報受信制御プログラムを提供することを目的とする。
【課題を解決するための手段】
【０００７】
前記課題を解決するため請求項１記載の発明に係る時刻情報受信装置にあっては、外部から送信された複数の時刻要素を含む時刻情報を受信する受信手段と、表示手段と、前記受信手段により受信される前記時刻情報に含まれる前記複数の時刻要素から、いずれかを選択する選択手段と、この選択手段により選択された時刻要素を前記受信手段により時刻情報を受信した後に前記表示手段に表示させる表示制御手段とを備える。
【０００８】
したがって、この時刻情報受信装置の表示手段には、受信手段により時刻情報を受信した後に、時刻情報に含まれている時刻要素のうち、いずれか一つの時刻要素のみが表示される。よって、時刻情報受信装置が有する表示手段の表示面積に限界があっても、当該時刻要素の表示サイズを大きくして、見易い表示形態で表示することができる。
【０００９】
また、常時表示させておきたい所望の時刻要素はユーザ自身の好みや、時刻情報受信装置の配置場所に応じて異なる場合がある。しかし、この時刻情報受信装置は、前述のようにいずれか一つの時刻要素のみを表示することから、ユーザが所望する時刻要素を表示する時刻情報受信装置、あるいはユーザが所望する複数の時刻要素を各々表示する複数個の時刻情報受信装置を用いることにより、不必要な時刻要素の表示を伴うことなく、見易い状態で所望の時刻要素のみを表示させることができる。
【００１０】
さらに、複数個の時刻情報受信装置を用いる場合、その配列はユーザの任意であることから、任意の配列により、当該ユーザにとって見易い表示順序で時刻要素を表示することができる。
【００１１】
また、請求項２記載の発明に係る時刻情報受信装置にあっては、前記選択手段は、予め当該時刻情報受信装置に設定されている時刻要素を選択する。したがって、ユーザは、異なる時刻要素を選択する複数の時刻情報受信装置を入手して、これらを適宜の順序で配列することにより、当該ユーザにとって見易い表示順序で時刻要素を表示することができる。
【００１２】
また、請求項３記載の発明に係る時刻情報受信装置にあっては、前記選択手段は、操作に応じて前記いずれかの時刻要素を選択する。したがって、ユーザにおいて当該時刻情報受信装置が表示するいずれかの時刻要素を任意に手動設定することができる。
【００１３】
また、請求項４記載の発明に係る時刻情報受信装置にあっては、外部から送信された複数の時刻要素を含む時刻情報を受信する受信手段と、表示手段と、複数個の時刻情報受信装置が配列された状態において、自機の配列位置を検出する検出手段と、この検出手段により検出された自機の配列位置に応じて、前記受信手段により受信される前記時刻情報に含まれる前記複数の時刻要素から、いずれかを選択する選択手段と、この選択手段により選択された時刻要素を前記表示手段に表示させる表示制御手段とを備える。
【００１４】
したがって、この時刻情報受信装置を複数個配列した場合において、各時刻情報受信装置の表示手段に表示される時刻要素は、配列位置に応じて個々に異なる。したがって、当該時刻要素の表示サイズを大きくして、見易い表示形態で表示することができるのみならず、任意の個数の時刻情報受信装置を配列することにより、不必要な時刻要素の表示を伴うことなく、見易い状態で所望の時刻要素のみを表示させることができる。
【００１５】
また、請求項５記載の発明に係る時刻情報受信装置にあっては、前記時刻情報は、前記時刻要素として、時、分、月、日、曜日を含む。したがって、例えば２個の時刻情報受信装置を用い、寝室においては「時・分」させ、３個の時刻情報受信装置を用い、居間においては「時・分・曜日」を表示させておく等の使用態様が可能となる。
【００１６】
また、請求項６記載の発明に係る時刻情報受信装置にあっては、前記表示手段は、前記表示手段に前記時刻要素を２桁で表示させる。したがって、時刻情報受信装置が有する表示手段の表示面積に限界があっても、当該時刻要素の表示サイズを大きくして、より見易い表示形態で表示することができる。
【００１７】
また、請求項７記載の発明は、複数個の時刻情報受信装置により構成される時刻情報受信システムであって、各時刻情報受信装置は、外部から送信された複数の時刻要素を含む時刻情報を受信する受信手段と、表示手段と、前記受信手段により受信される前記時刻情報に含まれる前記複数の時刻要素から、いずれかを選択する選択手段と、この選択手段により選択された時刻要素を前記表示手段に表示させる表示制御手段とを備える。
【００１８】
したがって、システムを構成する各時刻情報受信装置の表示手段には、受信手段により時刻情報を受信した後に、時刻情報に含まれている時刻要素のうち、いずれか一つの時刻要素のみが表示される。よって、時刻情報受信装置が有する表示手段の表示面積に限界があっても、当該時刻要素の表示サイズを大きくして、見易い表示形態で表示することができる。
【００１９】
また、常時表示させておきたい所望の時刻要素はユーザ自身の好みや、時刻情報受信装置の配置場所に応じて異なる場合がある。しかし、システムを構成する各時刻情報受信装置は、前述のようにいずれか一つの時刻要素のみを表示することから、ユーザが所望する時刻要素を表示する時刻情報受信装置、あるいはユーザが所望する複数の時刻要素を各々表示する複数個の時刻情報受信装置を用いることにより、不必要な時刻要素の表示を伴うことなく、見易い状態で所望の時刻要素のみを表示させることができる。
【００２０】
さらに、複数個の時刻情報受信装置の配列はユーザの任意であることから、任意の配列により、当該ユーザにとって見易い表示順序で時刻要素を表示することができる。
【００２１】
また、請求項８記載の発明は、複数個の時刻情報受信装置により構成される時刻情報受信システムであって、各時刻情報受信装置は、外部から送信された複数の時刻要素を含む時刻情報を受信する受信手段と、表示手段と、複数個の時刻情報受信装置が配列された状態において、自機の配列位置を検出する検出手段と、この検出手段により検出された自機の配列位置に応じて、前記受信手段により受信される前記時刻情報に含まれる前記複数の時刻要素から、いずれかを選択する選択手段と、この選択手段により選択された時刻要素を前記表示手段に表示させる表示制御手段とを備える。
【００２２】
したがって、システムを構成する各時刻情報受信装置の表示手段に表示される時刻要素は、配列位置に応じて個々に異なる。したがって、当該時刻要素の表示サイズを大きくして、見易い表示形態で表示することができるのみならず、任意の個数の時刻情報受信装置を配列することにより、不必要な時刻要素の表示を伴うことなく、見易い状態で所望の時刻要素のみを表示させることができる。
【００２３】
また、請求項９記載の発明に係る時刻情報受信システムにあっては、前記時刻情報は、前記時刻要素として、時、分、月、日、曜日を含む。したがって、例えば２個の時刻情報受信装置によりシステムを構成して、寝室においては「時・分」させ、３個の時刻情報受信装置によりシステムを構成して、居間においては「時・分・曜日」を表示させておく等の使用態様が可能となる。
【００２４】
また、請求項１０記載の発明に係る時刻情報受信システムにあっては、前記表示手段は、前記表示手段に前記時刻要素を２桁で表示させる。したがって、システムを構成する各時刻情報受信装置が有する表示手段の表示面積に限界があっても、当該時刻要素の表示サイズを大きくして、より見易い表示形態で表示することができる。
【００２５】
また、請求項１１記載の発明に係る時刻情報受信制御プログラムにあっては、外部から送信された複数の時刻要素を含む時刻情報を受信する受信手段と、表示手段とを備える時刻情報受信装置が有するコンピュータを、前記受信手段により受信される前記時刻情報に含まれる前記複数の時刻要素から、いずれかを選択する選択手段と、この選択手段により選択された時刻要素を前記表示手段に表示させる表示制御手段として機能させる。したがって、前記コンピュータがこのプログラムに従って処理を実行することにより、請求項１記載の発明と同様の作用効果を奏する。
【００２６】
また、請求項１２記載の発明に係る時刻情報受信制御プログラムにあっては、外部から送信された複数の時刻要素を含む時刻情報を受信する受信手段と、表示手段とを備える時刻情報受信装置が有するコンピュータを、複数個の時刻情報受信装置が配列された状態において、自機の配列位置を検出する検出手段と、この検出手段により検出された自機の配列位置に応じて、前記受信手段により受信される前記時刻情報に含まれる前記複数の時刻要素から、いずれかを選択する選択手段と、この選択手段により選択された時刻要素を前記表示手段に表示させる表示制御手段として機能させる。したがって、前記コンピュータがこのプログラムに従って処理を実行することにより、請求項４記載の発明と同様の作用効果を奏する。
【発明の効果】
【００２７】
以上説明したように、本発明によれば、時刻情報受信装置の表示手段に、受信手段により時刻情報を受信した後に、時刻情報に含まれている時刻要素のうち、いずれか一つの時刻要素のみを表示させることができる。よって、時刻情報受信装置が有する表示手段の表示面積に限界があっても、当該時刻要素の表示サイズを大きくして、見易い表示形態で表示することができる。
【００２８】
また、常時表示させておきたい所望の時刻要素はユーザ自身や、時刻情報受信装置の配置場所に応じて異なる場合がある。しかし、この時刻情報受信装置は、前述のようにいずれか一つの時刻要素のみを表示することから、ユーザが所望する時刻要素を表示する時刻情報受信装置、あるいはユーザが所望する複数の時刻要素を各々表示する複数個の時刻情報受信装置を用いることにより、不必要な時刻要素の表示を伴うことなく、見易い状態で所望の時刻要素のみを表示させることができる。
【００２９】
さらに、複数個の時刻情報受信装置を用いる場合において、その配列はユーザの任意であることから、任意の配列により、当該ユーザにとって見易い表示順序で時刻要素を表示することができる。
【発明を実施するための最良の形態】
【００３０】
以下、本発明の一実施の形態を図に従って説明する。
（第１の実施の形態）
【００３１】
図１は、本発明の第１の実施形態に係る時刻情報受信装置としての電波時計の外観構成を示す図である。この電波時計１は、同図（Ａ）に示すように、ケース２と時計本体３とで構成されており、ケース２は、側面に開口部２１を有する箱体からなる。時計本体３は、前記開口部２１よりケース２内に収容される胴部３１と、この胴部３１の一面側に形成された前面部３２とを有し、前面部３２には液晶画面からなる表示部３３が配置されている。
【００３２】
また、胴部３１の他面側には、同図（Ｂ）に示すように、ＷＡＶＷボタン３４、ＳＥＴボタン３５、ＲＥＳＥＴボタン３６、＋ボタン３７、−ボタン３８及び時刻要素選択ボタン３９が配置されている。この時刻要素選択ボタン３９は、本実施の形態における時刻要素である、「時」、「分」、「月」、「日」、「曜日」のいずれかを選択して当該電波時計１に設定するための操作ボタンである。これらボタン群の上部には、ボタン操作に応じた設定情報を表示するマニュアル設定用液晶４０が配置され、下部には電池収容部を覆う電池蓋４１が着脱自在に設けられている。
【００３３】
図２は、時計本体３の内部に配置されている回路の構成を示すブロック図である。この回路には、各部を制御するＣＰＵ４２が設けられているとともに、ＲＯＭ４３及びＲＡＭ４４がそれぞれバス４５を介して接続されている。ＲＯＭ４３は、ＣＰＵ４２が動作するためのシステムプログラム等を記憶しており、ＲＡＭ４４は、ワーク用として使用されるとともに、後述する受信データを記憶するものである。
【００３４】
また、バス４５には、ドライバ４６、時計計数回路４７、スイッチ４８、受信回路４９が接続されている。ドライバ４６は、前記表示部３３及びマニュアル設定用液晶４０を駆動するものである。時計計数回路４７は、分周回路５０を介して水晶発振回路５１に接続されている。水晶発振回路５１は、一定周波数の信号を送出し、分周回路５０は、水晶発振回路５１からの信号を計数して時計計数回路４７に送出する。時計計数回路４７は、分周回路５０からの信号を計数して、現在時刻データ（年、月、日、曜日、時、分、秒のデータ）を生成して記憶しており、これをＣＰＵ４２に与えるとともに、ＣＰＵ４２からの時刻データに基づき、生成し記憶している現在時刻データを修正するものである。
【００３５】
スイッチ４８は前記ボタン３４〜３９の操作に応じた操作情報を生成する。受信回路４９には、アンテナ５２が接続されており、アンテナ５２は、電波局Ｄから送出されるタイムコードを含む標準電波を受けて、これに対応する電気信号にして受信回路４９に送出する。受信回路４９は、ＣＰＵ４２からの指示に従って動作し、アンテナ５２からのタイムコードを、バス４５を介してＣＰＵ４２に送出するものである。
【００３６】
なお、このタイムコードには、現在時刻を示す時・分・月・日・曜日の情報で構成され、正確な時刻の分の桁が更新される毎、即ち１分毎に、１周期６０秒のフレームで送出される。
【００３７】
以上の構成にかかる本実施の形態において、ユーザは図３（Ａ）に示すように、例えば２個の電波時計１−１、１−２を購入し、時刻要素選択ボタン３９を操作することにより、第１の電波時計１−１には「時」を設定し、第２の電波時計１−２には「分」を設定しておく。
【００３８】
一方、ＣＰＵ４２はＲＯＭ４３に格納されているプログラムに基づき、図４に示すフローチャートに従った処理を実行する。先ず、時計計数回路４７が生成し記憶している現在時刻が所定の時刻になったか否かを判断する（ステップＳ１０１）。所定の時刻になったならば、受信回路４９に指示して、電波局Ｄから送出されるタイムコードを含む標準電波の受信を開始させる（ステップＳ１０２）。このタイムコードを含む標準電波の受信が完了したならば、受信終了処理を行って受信回路４９を停止させ（ステップＳ１０３）、しかる後に時刻データを修正する（ステップＳ２０４）。すなわち、時計計数回路４７内に記憶されている現在時刻データで示される時刻の値を、標準電波に含まれているタイムコードが示す時刻の値に修正する。
【００３９】
また、前記ステップＳ１０１がＮＯであった場合、及びステップＳ１０４に続くステップでは、当該電波時計１に選択的にユーザーにより設定されている時刻要素が「時」であるか否かを判断する（ステップＳ１０５）。「時」であった場合には、時計計数回路４７が生成し記憶している現在時刻における「時」の時刻要素を表示部３３に２桁で表示させる（ステップＳ１０６）。「時」でなかった場合には、前記設定されている時刻要素が「分」であるか否かを判断する（ステップＳ１０７）。「分」であった場合には、時計計数回路４７が生成し記憶している現在時刻における「分」の時刻要素を表示部３３に２桁で表示させる（ステップＳ１０８）。「分」でなかった場合には、前記設定されている時刻要素が「月」であるか否かを判断する（ステップＳ１０９）。「月」であった場合には、時計計数回路４７が生成し記憶している現在時刻における「月」の時刻要素を表示部３３に２桁で表示させる（ステップＳ１１０）。「月」でなかった場合には、前記設定されている時刻要素が「日」であるか否かを判断する（ステップＳ１１１）。「日」であった場合には、時計計数回路４７が生成し記憶している現在時刻における「日」の時刻要素を表示部３３に２桁で表示させる（ステップＳ１１２）。また、「分」でもなかった場合には、前記設定されている時刻要素は「曜日」であり、時計計数回路４７が生成し記憶している現在時刻における「曜日」の時刻要素を表示部３３に２桁で表示させる（ステップＳ１１３）。
【００４０】
したがって、前述のように、ユーザが２個の電波時計１−１、１−２を購入し、時刻要素選択ボタン３９を操作することにより、第１の電波時計１−１には「時」を設定し、第２の電波時計１−２には「分」を設定しておいた場合、第１の電波時計１−１においては、ステップＳ１０６の処理が実行され、第２の電波時計１−２においては、ステップＳ１０８の処理が実行されることとなる。したがって、図３（Ａ）に例示するように、第１の電波時計１−１には、「時」の時刻要素の１０時であることを示す「１０」の文字が表示され、第２の電波時計１−２には、「分」の時刻要素の５８分であることを示す「５８」の文字が表示されることとなる。
【００４１】
また、ユーザが、第１の電波時計１−１には「月」を設定し、第２の電波時計１−２には「日」を設定しておいた場合、第１の電波時計１−１においては、ステップＳ１１０の処理が実行され、第２の電波時計１−２においては、ステップＳ１１２の処理が実行されることとなる。したがって、図３（Ｂ）に例示するように、第１の電波時計１−１には、「月」の時刻要素の６月であることを示す「０６」の文字が表示され、第２の電波時計１−２には、「日」の時刻要素の３０日であることを示す「３０」の文字が表示されることとなる。
【００４２】
さらに、ユーザが図３（Ｃ）に示すように、５個の電波時計１−１〜１−５を購入し、時刻要素選択ボタン３９を操作することにより、第１の電波時計１−１には「曜日」、第２の電波時計１−２には「月」、第３の電波時計１−３には「日」、第４の電波時計１−４には「時」、第５の電波時計１−５には「分」を各々設定したとする。すると、第１の電波時計１−１においてはステップＳ１１３の処理、第２の電波時計１−２においてはステップＳ１１０の処理、第３の電波時計１−３においてはステップＳ１１２の処理、第４の電波時計１−４においてはステップＳ１０６の処理、第５の電波時計１−５においてはステップＳ１０７の処理が各々実行されることとなる。したがって、図３（Ｃ）に例示するように、第１の電波時計１−１には「日曜日」の時刻要素の日曜日であることを示す「ＳＵ」の文字、第２の電波時計１−２には６月であることを示す「０６」の文字、第３の電波時計１−３には「日」の時刻要素の３０日であることを示す「３０」の文字、第４の電波時計１−４には「時」の時刻要素の１０時であることを示す「１０」の文字、第５の電波時計１−５には「分」の時刻要素の５８分であることを示す「５８」の文字が、各々表示されることとなる。
【００４３】
なお、本実施の形態においては、時刻要素選択ボタン３９を操作することにより、表示させる時刻要素（時・分・月・日・曜日）のいずれか一つを選択して設定できるようにしたが、予め表示させる時刻要素をメーカーにおいて固定的に設定しておくようにしてもよい。このように表示可能な時刻要素が固定的に設定されている電波時計１において、図３（Ａ）に示す態様で表示を行う場合、ユーザは「時」が固定設定された電波時計１−１と、「分」が固定設定された電波時計１−２を購入すればよい。また、図３（Ｂ）に示す態様で表示を行う場合、ユーザは「月」が固定設定された電波時計１−１と、「日」が固定設定された電波時計１−２を購入すればよい。さらに、図３（Ｂ）に示す態様で表示を行う場合、ユーザは「曜日」「月」「日」「時」「分」が固定設定された電波時計１−１〜１−５を購入すればよい。無論、図３（Ｂ）に示した表示態様に限らず、電波時計１−１〜１−５の配列を変更することにより、時刻要素を異なる配列順序で表示させることも可能である。
【００４４】
（第２の実施の形態）
【００４５】
図５は、本発明の第２の実施形態に係る時刻情報受信装置としての電波時計の外観構成を示す図である。この電波時計１においては、同図（Ａ）に示すように、ケース２の相対向する左右側面に右貫通穴２３Ｒと左貫通穴２３Ｌとが設けられている。また、時計本体３の胴部３１には、相対向する左右側面に右赤外線送受信部５３Ｒと左赤外線送受信部５３Ｌとが設けられている。これら左右赤外線送受信部５３Ｒ、５３Ｌは、胴部３１をケース２内に収容した状態において、前記右貫通穴２３Ｒと左貫通穴２３Ｌとから露出する位置に設けられている。なお、本実施の形態においては、前記時刻要素選択ボタン３９は設けられていない。
【００４６】
図６は、本実施の形態において、時計本体３の内部に配置されている回路の構成を示すブロック図である。この回路のバス４５には、赤外線送受信回路５４を介して、前記左右赤外線送受信部５３Ｒ、５３Ｌが接続されている。また、これ以外の構成は図６に示した第１の実施の形態と同様である。
【００４７】
以上の構成にかかる本実施の形態において、ユーザは図７に示すように、例えば５個の電波時計１−１〜１−５を購入し、横方向に配列する。すると、隣接する電波時計１−１〜１−５の左右赤外線送受信部５３Ｒ、５３Ｌが左右貫通穴２３Ｒ、２３Ｌを介して対向する。
【００４８】
一方、各電波時計１−１〜１−５のＣＰＵ４２はＲＯＭ４３に格納されているプログラムに基づき、図８に示すフローチャートに従った処理を実行する。
先ず、時計計数回路４７が生成し記憶している現在時刻が所定の時刻になったか否かを判断する（ステップＳ２０１）。所定の時刻になったならば、受信回路４９に指示して、電波局Ｄから送出されるタイムコードを含む標準電波の受信を開始させる（ステップＳ２０２）。このタイムコードを含む標準電波の受信が完了したならば、受信終了処理を行って受信回路４９を停止させ（ステップＳ２０３）、しかる後に時刻データを修正する（ステップＳ２０４）。すなわち、時計計数回路４７内に記憶されている現在時刻データで示される時刻の値を、標準電波に含まれているタイムコードが示す時刻の値に修正する。
【００４９】
また、前記ステップＳ２０１がＮＯであった場合、及びステップＳ２０４に続くステップでは、右赤外線送受信部５３Ｒにての赤外線信号の受信があるか否かを判断する（ステップＳ２０５）。この判断がＮＯであって、右赤外線送受信部５３Ｒによる赤外線信号の受信がない場合には、当該電波時計１は、図７に示した右端に配置された電波時計１−１である。この場合には、時計計数回路４７が生成し記憶している現在時刻における「分」の時刻要素を表示部３３に２桁で表示させる（ステップＳ２０６）。さらに、左赤外線送受信部５３Ｌから、赤外線信号「１」を送信する（ステップＳ２０７）。
【００５０】
また、ステップＳ２０５における判断がＹＥＳであって、右赤外線送受信部５３Ｒにての赤外線信号の受信がある場合には、その赤外線信号が「１」であるか否かを判断する（ステップＳ２０８）。この判断がＹＥＳであって、右赤外線送受信部５３Ｒにて受信した赤外線信号が「１」であった場合には、当該電波時計１は、図７に示した右から２番目に配置された電波時計１−２である。この場合には、時計計数回路４７が生成し記憶している現在時刻における「時」の時刻要素を表示部３３に２桁で表示させる（ステップＳ２０９）。さらに、左赤外線送受信部５３Ｌから、赤外線信号「２」を送信する（ステップＳ２１０）。
【００５１】
また、ステップＳ２０８における判断がＮＯであって、右赤外線送受信部５３Ｒにて受信した赤外線信号が「１」でなかった場合には、その赤外線信号が「２」であるか否かを判断する（ステップＳ２１１）。この判断がＹＥＳであって、右赤外線送受信部５３Ｒにて受信した赤外線信号が「２」であった場合には、当該電波時計１は、図７に示した右から３番目に配置された電波時計１−３である。この場合には、時計計数回路４７が生成し記憶している現在時刻における「日」の時刻要素を表示部３３に２桁で表示させる（ステップＳ２１２）。さらに、左赤外線送受信部５３Ｌから、赤外線信号「３」を送信する（ステップＳ２１３）。
【００５２】
また、ステップＳ２１１における判断がＮＯであって、右赤外線送受信部５３Ｒにて受信した赤外線信号が「２」でもなかった場合には、その赤外線信号が「３」であるか否かを判断する（ステップＳ２１４）。この判断がＹＥＳであって、右赤外線送受信部５３Ｒにて受信した赤外線信号が「３」であった場合には、当該電波時計１は、図７に示した右から４番目に配置された電波時計１−４である。この場合には、時計計数回路４７が生成し記憶している現在時刻における「月」の時刻要素を表示部３３に２桁表示させる（ステップＳ２１５）。さらに、左赤外線送受信部５３Ｌから、赤外線信号「４」を送信する（ステップＳ２１６）。
【００５３】
また、ステップＳ２１４における判断がＮＯであって、右赤外線送受信部５３Ｒにて受信した赤外線信号が「３」でもなかった場合には、その赤外線信号が「４」である。そして、右赤外線送受信部５３Ｒにて受信した赤外線信号が「４」であった場合には、当該電波時計１は、図７に示した右から５番目、つまり左端に配置された電波時計１−５である。この場合には、時計計数回路４７が生成し記憶している現在時刻における「曜日」の時刻要素を表示部３３に２桁表示させる（ステップＳ２１７）。
【００５４】
したがって、前述のように、ユーザが５個の電波時計１−１〜１−５を購入し、横方向に配列すると、右側から第１の電波時計１−１においてはステップＳ２０６の処理、第２の電波時計１−２においてはステップＳ２０９の処理、第３の電波時計１−３においてはステップＳ２１２の処理、第４の電波時計１−４においてはステップＳ２１５の処理、第５の電波時計１−５においてはステップＳ２１７の処理が各々実行されることとなる。したがって、図７に例示するように、第１の電波時計１−１には５８分であることを示す「５８」の文字、第２の電波時計１−２に１０時であることを示す「１０」の文字、第３の電波時計１−３には３０日であることを示す「３０」の文字、第４の電波時計１−４には６月であることを示す「０６」の文字、第５の電波時計１−５には日曜日であることを示す「ＳＵ」の文字が、各々表示されることとなる。
【００５５】
なお、本実施の形態においては、貫通穴と赤外線送受信部とをケース２及び時計本体３の相対向する左右側面に設けるようにしたが、相対向する上面と底面とに設けるようにしてもよい。この場合各電波時計１−１〜１−５を上下方向に積み重ねて配置することにより、前述した表示を行うことができる。また、時分の表示のみを行いたい場合には、２個の電波時計１を購入すればよいし、時分及び月日の表示を行いたい場合には、４個の電波時計１を購入すればよい。
【００５６】
また、実施の形態においては、所定時刻に、電波局Ｄから送出されるタイムコードを含む標準電波の受信する時刻情報受信装置に本発明を適用した場合を示したが、常時、タイムコードを含む標準電波の受信する時刻情報受信装置に本発明を適用するようにしてもよい。
【図面の簡単な説明】
【００５７】
【図１】（Ａ）本発明の第１の実施の形態に係る電波時計の分解斜視図、（Ｂ）は時計本体の斜視図である。
【図２】同実施の形態における時計本体の回路構成を示すブロック図である。
【図３】同実施の形態における配置例を示す図である。
【図４】同実施の形態における処理手順を示すフローチャートである。
【図５】（Ａ）本発明の第２の実施の形態に係る電波時計の分解斜視図、（Ｂ）は時計本体の斜視図である。
【図６】同実施の形態における時計本体の回路構成を示すブロック図である。
【図７】同実施の形態における配置例を示す図である。
【図８】同実施の形態における処理手順を示すフローチャートである。
【符号の説明】
【００５８】
１    電波時計
２    ケース
３    時計本体
２１    開口部
２３Ｌ    左貫通穴
２３Ｒ    右貫通穴
３１    胴部
３２    前面部
３３    表示部
３９    時刻要素選択ボタン
４２    ＣＰＵ
４３    ＲＯＭ
４４    ＲＡＭ
４６    ドライバ
４７    時計計数回路
４８    スイッチ
４９    受信回路
５０    分周回路
５１    水晶発振回路
５２    アンテナ
５３Ｌ    左赤外線送受信部
５３Ｒ    右赤外線送受信部
５４    赤外線送受信回路
Ｄ    電波局
【図１】
2007024654.tif 000003
【図２】
2007024654.tif 000004
【図３】
2007024654.tif 000005
【図４】
2007024654.tif 000006
【図５】
2007024654.tif 000007
【図６】
2007024654.tif 000008
【図７】
2007024654.tif 000009
【図８】
2007024654.tif 000010